(57)【要約】【課題】従来の福利厚生の枠を越えたストレスケアを企業に向けて提供するシステムである。【解決手段】ストレスケアを提供するケア提供組織側のケア提供サーバと、企業側のケア需要者端末とより構成する。ケア提供サーバは、受講者データベースとケア要員データベースと、受講者検索手段と、ケア要員検索手段とより構成する。ケア需要者端末は、前記ケア提供サーバに希望条件を送信する。前記ケア提供サーバは、前記ケア需要者端末からの条件に基づいて、ケア要員を検索する。ケア提供組織は、ケア要員の検索結果から、ケア要員をケア需要者に提供して、楽器演奏の技術の教授によって、ケア需要者の社員である受講者のストレスケアを提供する。【選択図】        図１
2010170273.tif 000002
【特許請求の範囲】
【請求項１】
ストレスケアを提供するケア提供組織側のケア提供サーバと、
ケアを受ける側のケア需要者端末とよりなり、
ケア提供サーバは、
受講者データベースと、ケア要員データベースと、ケア要員検索手段と、受講者検索手段とより構成し、
ケア需要者端末は、
前記ケア提供サーバに希望条件を送信し、
前記ケア提供サーバは、
前記ケア需要者端末からの条件に基づいて、ケア要員を検索し、
ケア提供組織は、
ケア要員の検索結果から、ケア要員をケア需要者に提供して、楽器演奏の技術の教授によって、ケア需要者の社員である受講者に対して、ストレスケアを提供する、
ストレスケア提供システム。
【請求項２】
請求項１記載のシステムにおいて、
ケア需要者の社員である受講者は、
ケア提供サーバの受講者データベースに、受講者が自己の楽器演奏に関する情報を記録させることができる、
ストレスケア提供システム。
【請求項３】
請求項１記載のシステムにおいて、
ケア需要者の社員である受講者は、
ケア提供サーバの受講者データベースに記録された他の受講者の楽器演奏に関する情報を検索し、
この情報から、楽器の合奏仲間を決定することができる、
ストレスケア提供システム。
【発明の詳細な説明】
【技術分野】
【０００１】
本発明は、企業の福利厚生の一環として、社員のストレスをケアするシステムに関するものである。
【背景技術】
【０００２】
多くの社会人が社会生活の中でストレスを感じている。
たとえば下記の非特許文献の報告によると、企業に属する社員の９割が「仕事における人間関係」でストレスを感じている、とされている。
その結果、精神の病に至る人、あるいは自殺に至る人までがいることが知られている。
【先行技術文献】
【特許文献】
【０００３】
【非特許文献１】「就労条件総合調査」厚生労働省：平成１９年１０月発表。
【発明の概要】
【発明が解決しようとする課題】
【０００４】
そのような社員のストレスに対する対策として、多くの企業では健康診断や余暇施設の開放、文化体育活動支援などが提案されている。
しかし、この程度の対策では、社員の心への直接の呼びかけとは言い難く、ストレス対策としては十分とは言えない。
特に世界を覆う不景気の中での毎日の仕事の重圧、仲間意識の希薄化、将来性への期待の欠如、長い勤務時間、定年後の不安、などを抱えている第一線の社会人にとっては、より心に訴える癒しの手段が必要である。
【課題を解決するための手段】
【０００５】
上記のような課題を解決するために、本発明の社員のストレスをケアするシステムは、ストレスケアを提供するケア提供組織側のケア提供サーバと、企業側のケア需要者端末とよりなり、ケア提供サーバは、ケア要員データベースと、ケア需要者データベースと、ケア要員検索装置と、ケア需要者検索装置とより構成し、ケア需要者端末は、前記ケア提供サーバに希望条件を送信し、前記ケア提供サーバは、前記医ケア需要者端末からの条件に基づいて、ケア要員を検索し、ケア提供組織は、ケア要員の検索結果から、ケア要員をケア需要者に提供して、楽器演奏の技術の教授によって、ケア需要者の社員である受講者のストレスケアを提供することを特徴としたものである。
【発明の効果】
【０００６】
本発明の社員のストレスをケアするシステムは以上説明したようになるから次のような効果を得ることができる。
＜１＞従来行われている福利厚生対策以上の、ストレスの発散の機会を作って、心のケアを行うシステムを企業の社員に提供することができる。
＜２＞特に楽器演奏を介したストレスケアであるから、演奏技術の向上だけでなく、楽器の音色による「いやし」効果、クラッシック音楽によるリラックス効果を期待することができる。
＜３＞一つの企業内での仲間探しができることはもちろん、同じケア提供サーバに属する他社の演奏仲間の情報も検索することができるから、多くの仲間選択の機会を得ることができ、毎日のビジネスの枠を超えた、同好者間の交流が生むことができる。
＜４＞ケア提供サーバの情報から検索して、同一種類の楽器だけでなく、異なった種類の楽器の演奏者で合奏のチームを形成することができ、外部への発表の機会を作れば、大きな達成感を得ることができる。
＜５＞企業が、ケア需要者端末を通してケア要員の受け入れの場を作ることで、対外的にＣＳＲ活動を訴えることができる。
＜６＞企業内の社員が心身ともに健康になることで、日々の仕事に集中することができ、その結果、企業の業績向上の効果を期待できる。
【図面の簡単な説明】
【０００７】
【図１】本発明のストレスケアシステムの実施例のブロック図。
【発明を実施するための形態】
【０００８】
以下図面を参照にしながら本発明の好適な実施の形態を詳細に説明する。
【実施例】
【０００９】
＜１＞基本的構成。
本発明の構成は、福利厚生の一環として、社員のストレスのケアを提供するシステムであり、具体的には楽器演奏の教授を通して行うストレスケアのシステムに関するものである。
ストレスケアの提供のために、ケア提供サーバ１と、企業側のケア需要者端末２とを必要とし、両者をインターネット３を介して接続する。
【００１０】
＜２＞ケア提供サーバ１。
ストレスケアを提供する側のケア提供サーバ１は、受講者データベース１１と、ケア要員データベース１２と、ケア要員検索手段１３と、受講者検索手段１４とから構成する。
ケア要員とは、楽器演奏に優れた経験を有し、さらに企業内の福利厚生の意義を理解しており、音楽療養などの知識を備えた人材である。
ケア要員データベース１２は、ケア要員の演奏楽器、演奏経歴、ケア要員経歴などの、ケア要員に関する情報を記録している。
一方、受講者とは企業に属する社員であって、楽器の演奏に興味を持つ者、あるいは人間関係などでストレスを感じている者などである。
受講者データベース１１は、学習中の受講者の演奏楽器、演奏レベル、勤務場所などの情報を記録している。
さらに受講者データベース１１は、演奏授業の進歩に応じて評価を受けるたびに、その評価の数値が入力されて更新される。
ケア要員検索手段１３は、入力した条件に対応した適切なケア要員の氏名を検索して出力する装置である。
受講者検索手段１４は、入力した条件に対応した適切な受講者の氏名を検索して出力する装置である。
ケア提供サーバ１はさらに外部入出力手段を備えている。
この外部入出力手段は、インターネット３に接続してあって、ケア提供組織Ａのホームページをインターネット３に公開する。
同時にインターネット３を介して入力された、企業、受講者、ケア要員、管理者などからの情報を受信することができる。
ケア提供組織Ａのホームページでは、企業に対してＣＳＲの一環としてのストレスケアの受け入れの理解を促すための情報を提供する。
【００１１】
＜３＞ケア需要者端末。
ケア需要者端末２は、インターネット３を介してケア提供サーバ１と接続している。
このケア需要者端末２は、ケア需要者Ｂとしての企業の内部の例えば福利厚生部、人事部などに設置してある、パソコンである。
このケア需要者Ｂとは、本システムを介してストレスケアを理解して、ケア提供組織Ａから、ストレスケアの提供を希望する企業である。
ケア需要者Ｂはこのケア需要者端末２を用いてホームページからケア提供組織Ａの存在を知り、さらに具体的には音楽療法のために派遣されるケア要員の専門の楽器、演奏のレベル、派遣可能地域、などを知ることができる。
そして知得したケア要員情報から、ケア需要者端末２を用いて希望する条件を入力し、ケア提供組織Ａからケア需要者Ｂへのケア要員の派遣の依頼を行うことができる。
【００１２】
＜４＞ケア提供組織。
ケア提供組織Ａは、ケア要員の採用、ケア要員の管理、受講者のレベル認定を行う。
ケア提供組織Ａは、ケア要員の採用、管理のために、ケア要員とのインタビューを通して、ケア要員の専門とする演奏楽器、それまでの演奏の経歴、企業内福利厚生やストレスケアについての理解の程度、といったケア要員に関する情報を収集してケア要員データベース１２に記録する。
またケア提供組織Ａから派遣した監督者が実際に企業の教授現場に立ち会って、ケア要員の教授能力を評価して、反省材料などに使用する。
すなわち、監督者によるケア要員の授業の観察と、観察結果を以降の教育に反映させるための情報をデータベース１２に蓄積する。
さらに、ケア提供組織Ａに対して企業からの意見やクレームがあればその対応、処理を行うだけでなく、一般化できる情報であればデータベースに蓄積して利用する。
こうして、ケア提供組織Ａでは、採用時のケア要員の適性の選別、レベルの認定をするだけでなく、記録したデータをもとに採用後の継続した教育を行い、その成果に応じたデータの更新を行う。
さらにケア提供組織Ａでは、ケア要員が受講者のレベルの評価がし易いように、段階を追った教育システム作りを行い、データとして蓄積し、かつケア要員や受講者からの情報をもとに教育システムのデータの更新を行う。
そうしたシステムに沿って、受講者に対する段階を追った等級評価、たとえば１級、２級・・といった等級を与える。  
さらにケア提供組織Ａは、ケア要員に対して音楽教育の知識だけでなく、心理学者や音楽療法の講師などを招いて、ストレスや癒しに対する理解を深める教育を行う。
【００１３】
＜５＞ケア需要者。
社員に対するストレスケアの必要性を感じた企業側が、ケア需要者Ｂとしてインターネット３を通じてケア需要者端末２により、本発明のストレスケアのシステムを知ることから関係が始まる。
一般には企業内の福利厚生部門の人たちが、本発明のシステムの必要性を感じて、企業内で検討して、社員への告知を行うことになる。
そして楽器演奏自体に興味を覚える者、さらに進んでストレスケアを受けることを希望する者、などの受講者の募集を行い、授業を行う場所を確保する。
さらに福利厚生として、企業から本発明のシステムへの補助金の確保などの手続きを踏んで、ケア需要者端末２を通してケア提供組織Ａに対してストレスケアの依頼を行う。
またケア需要者Ｂは本発明のシステムを採用している状況をホームページなどに公開して自社のＣＳＲへ反映させることができる。
ストレスケアの具体的な手段としての楽器演奏技術の授業が開始したら、ケア需要者Ｂは受講者からの情報をもとに、ケア需要者端末２を通してケア提供組織Ａへの意見やクレームの提供を行うことができる。
【００１４】
＜６＞  ストレスケアの提供。
ケア需要者Ｂからケア需要者端末２を介して、あるいは他の手段でストレスケアの要請があったら、その情報はケア提供サーバ１に記録される。
同時に、ケア提供サーバ１では、技量、経歴、交通手段、教授が可能な時間などの要件から、依頼企業の要求に適合したケア要員を選択する。
ケア要員は、就業時間後の空いた会議室などの提供を受けて、集まった受講者に対してストレスケアの具体的手段である楽器演奏のグループレッスンを行う。
受講者にとっては、楽器を演奏することによって、感情や記憶が刺激されて、心が元気になり、さらに体を動かすことで体が元気になるという効果を期待できる。
その際に、リズムをとることによって脳が刺激され、心身の活性化につながる効果も期待できる。
さらに楽器の演奏を通して、手、指先、脳を活性化して、身体的刺激や機能の維持・回復などリハビリテーション効果も期待することができる。
楽器演奏の経験のない受講者にとっては、新たな楽器に挑戦することで、習得への意欲や達成感が得られるという心理的側面も考えられる。
教授を受けるグループは同じ企業内の受講者であるが、部署を特定していないために、仕事中では交流のない社員間の交流も図ることができる。
同じ部署であっても仕事中では話かけることのない人々と雑談を交わすことができ、演奏技術を通して皆で喜び、皆で身体を動かすことで、職場での円滑な人間関係の構築、コミニュケーション能力の向上など、仕事にも良い影響を与える状況を作りだすことができる。
このように、日常のビジネスの仲間とは異なった、同じ趣味の人の集まりが形成されるので、気持の合う仲間作りができて、個人的にも心の安定が期待される。
また楽器の音色自体が癒し効果があり、さらにクラッシック音楽ならばその旋律がリラックス効果を上げることができる。
このような音楽による癒しの効果は、音楽セラピーとして広く知られているものである。
このように、ケア提供組織Ａからのストレスケアの提供によって、ケア需要者Ｂは、大きな効果を期待することができる。
【００１５】
＜７＞受講者の情報の記録。
自分の勤務する企業によって場所を提供された受講者は、派遣されてきたケア要員のもとでストレスケアの具体的手段である楽器の演奏技術の評価を受ける。
この最初の評価等級は、受講者の各種の情報とともに、ケア提供サーバ１の受講者データベース１１に記録される。
その後、練習を継続して演奏技術の上達に伴って、一定期間後に繰り返して等級評価を受けて、受講者データベース１１の記録を更新する。
ケア要員による演奏技術の教授によって、受講者は日常の業務とはかけ離れた雰囲気に浸ることができ、仕事のストレスを発散させる。
【００１６】
＜６＞  受講者間の検索。
各受講者の個人の情報は、受講者データベース１１に記録され、本人の許可を得たのち、他の受講者に対して公開され、その情報の検索が相互に可能となる。
その結果、ある受講者は、自社内の、あるいは他社の受講者の情報を受講者データベース１１を介して入手することができる。
すると、受講者は自社の他の部署、あるいは他社から、自分の楽器の種類、演奏レベル、クラッシックあるいはジャズといった好みの分野を選定して、自分にふさわしい合奏の仲間を探して合同練習、合同演奏を行うことができる。
このように、社内だけでは探しえない仲間を探して、固定化しがちな社内の人間関係に新しい刺激を与えることができる。
さらに受講者データベース１１によって、受講者間で、複数の異なった種類の楽器の演奏者を検索して合奏を行えば、複数の楽器を備えたひとつの合奏チームを構成することができ、より有効なストレスケアを得ることができる。
【符号の説明】
【００１７】
Ａ：ケア提供組織
Ｂ：ケア需要者
１：ケア提供サーバ
１１：受講者データベース
１２：ケア要員データベース
１３：ケア要員検索手段
１４：受講者検索手段
２：ケア需要者端末
３：インターネット
【図１】
2010170273.tif 000003